(57)【要約】  指紋感知装置の第１の側（２２）に配置された感知アレイ（２１）を有する指紋感知装置（２０）を備える指紋感知モジュール（２）が提供される。前記指紋感知装置は、前記指紋感知装置を外部回路及び指紋感知装置カバー構造体（３０）に接続するための接続パッド（２４）を備え、前記カバー構造体は、指で触れるように構成され、それによって指紋感知モジュールの感知面を形成する第１の側（３２）と、前記感知アレイに対面する第２の側（３４）とを有し、前記カバー構造体は、前記指紋感知モジュールを外部回路に電気的に接続するために、前記カバー構造体の前記第２の側に配置された導電トレース（３５）を備える。また、前記カバー構造体の表面積は、前記指紋感知装置の表面積よりも大きい。また、前記指紋感知装置は、前記指紋感知装置の前記接続パッドを前記カバー構造体の前記導電トレースに電気的に接続するワイヤボンド（４０、６６）を備える。【選択図】図２
2020503606.tif 000002
【特許請求の範囲】
【請求項１】
指紋感知装置の第１の側（２２）に配置された感知アレイ（２１）を有する指紋感知装置（２０）であって、前記感知アレイは、指紋感知素子のアレイを備え、前記指紋感知装置は、前記指紋感知装置を外部回路に接続するための接続パッド（２４）を備える、指紋感知装置（２０）と、
前記指紋感知装置を覆うように構成された指紋感知装置のカバー構造体（３０）であって、前記カバー構造体は、指で触れるように構成され、それによって指紋感知モジュールの感知面を形成する第１の側（３２）と、前記感知アレイに対面する第２の側（３４）とを有し、前記カバー構造体は、前記指紋感知モジュールを外部回路に電気的に接続するために、前記カバー構造体の前記第２の側に配置された導電トレース（３５）を備え、前記カバー構造体の表面積は、前記指紋感知装置の表面積よりも大きい、指紋感知装置のカバー構造体（３０）と、を備え、
前記指紋感知装置は、前記指紋感知装置の前記接続パッドを前記カバー構造体の前記導電トレースに電気的に接続するワイヤボンド（４０、６６）をさらに備える、
指紋感知モジュール（２）。
【請求項２】
前記接続パッドは、前記第１の側（２２）の反対側である前記指紋感知装置の第２の側（２３）に配置され、前記指紋感知装置は、前記指紋感知装置の前記第１の側から前記指紋感知装置の前記第２の側の前記接続パッドに達するビア接続部（５２）を備える基板（５０）をさらに備える、請求項１に記載の指紋感知モジュール。
【請求項３】
前記接続パッドは、前記指紋感知装置の前記第１の側に配置され、前記指紋感知装置は、
前記指紋感知装置の前記第２の側に取り付けられた第１の側を有するキャリア（６０）と、
前記指紋感知装置の前記接続パッドと前記キャリアの前記第１の側との間のワイヤボンド（６４）と、
前記第１の側の反対側である前記キャリアの第２の側と前記カバー構造体の前記導電トレースとの間に配置されたワイヤボンド（６６）と、をさらに備える、請求項１に記載の指紋感知モジュール。
【請求項４】
前記感知装置と前記カバー構造体との間に配置されたモールド層（６８）をさらに備える、請求項１から３のいずれか一項に記載の指紋センサ。
【請求項５】
前記カバー構造体は、導電トレースを損なう少なくとも１つの層と少なくとも１つの絶縁層とを含む積層構造体である、請求項１から４のいずれか一項に記載の指紋感知モジュール。
【請求項６】
前記カバー構造体の前記第２の側（３４）に配置され、前記カバー構造体の前記導電トレースに電気的に接続された受動部品（７０）をさらに備える、請求項１から５のいずれか一項に記載の指紋感知モジュール。
【請求項７】
前記キャリアの前記第１の側（６１）に配置され、前記カバー構造体の導電トレースに電気的に接続された受動部品（７０）をさらに備える、請求項３に記載の指紋感知モジュール。
【請求項８】
前記第１の側の反対側である前記指紋感知装置の第２の側に取り付けられた指紋感知制御装置（８０）をさらに備える、請求項１から７のいずれか一項に記載の指紋感知モジュール。
【請求項９】
前記指紋感知制御装置を前記カバー構造体の導電トレースに電気的に接続するワイヤボンド（８２）をさらに含む、請求項８に記載の指紋感知モジュール。
【請求項１０】
前記指紋感知制御装置と前記指紋感知モジュールの前記第２の側との間に配置されたシリコンインターポーザ層（８４）をさらに備える、請求項８又は９に記載の指紋感知モジュール。
【請求項１１】
前記感知面上に置かれた指と前記指紋感知モジュールの駆動信号回路との間に電気的接続を提供するために前記感知アレイに隣接して配置された電気的導電ベゼルをさらに備える、請求項１から１０のいずれか一項に記載の指紋感知モジュール。
【請求項１２】
前記カバー構造体は、前記指紋感知モジュールがＴ字形の外形を有するように前記指紋感知装置の外側に延在する、請求項１から１１のいずれか一項に記載の指紋感知モジュール。
【請求項１３】
前記カバー構造体が可撓性である、請求項１から１２のいずれか一項に記載の指紋感知モジュール。
【請求項１４】
セキュアエレメントをさらに備える、請求項１から１３のいずれか一項に記載の指紋感知モジュール。
【請求項１５】
請求項１から１４のいずれか一項に記載の指紋感知モジュール（１０）を備えるスマートカード（１）であって、
前記スマートカードは、前記指紋感知モジュールが配置される凹部を含み、
前記指紋感知モジュールの前記カバー構造体は、前記スマートカードの導電インレイの対応する接続パッドに前記導電トレースを接続するための接続パッドを備える、スマートカード。
【請求項１６】
前記凹部は、前記指紋感知モジュールの形状に対応する形状を有する、請求項１５に記載のスマートカード。
【請求項１７】
前記凹部がＴ字形であり、対応するＴ字形の指紋感知モジュールを受けるように構成される、請求項１５又は１６に記載のスマートカード。
【請求項１８】
指紋感知モジュールを製造する方法であって、
指紋感知装置の第１の側（２２）に配置された感知アレイを有する指紋感知装置（２０）を提供し、前記感知アレイは、指紋感知素子のアレイを備え、指紋感知装置は、前記指紋感知装置を外部回路に接続するための接続パッド（２４）を備え、
前記指紋感知モジュールを前記外部回路に電気的に接続するために、前記指紋感知装置のカバー構造体の第２の側に配置された導電トレースを備える、前記指紋感知装置のカバー構造体を提供し、
前記指紋感知装置を前記カバー構造体に取り付け、
前記接続パッドと前記導電トレースとの間のワイヤボンディングによって前記指紋感知装置を電気的に接続する、
ことを有する、指紋感知モジュールを製造する方法。
【請求項１９】
前記第１の側の反対側である前記指紋感知モジュールの第２の側に指紋感知制御装置を取り付けることをさらに有する、請求項１８に記載の方法。
【請求項２０】
前記指紋感知モジュールを封入することをさらに有する、請求項１８又は１９に記載の方法。
【請求項２１】
請求項１から１４のいずれか一項に記載の指紋感知モジュールを備えるスマートカードを製造する方法であって、前記方法は、
複数の層を含むスマートカード基板を提供し、
前記スマートカードに凹部を形成し、前記凹部は下部と上部とを含み、前記上部は前記下部の面積より大きい面積を有し、
前記凹部の前記上部と前記スマートカードの導電トレースとの間にビア接続部を形成し、
前記カバー層の前記導電トレースが前記ビア接続部と電気的接触を形成するように、前記凹部に感知モジュールを配置する、
ことを有する、スマートカードを製造する方法。
【発明の詳細な説明】
【技術分野】
【０００１】
本発明は、スマートカードへの統合に適した指紋感知モジュール、及びそのような指紋感知モジュールを製造する方法に関する。本発明はまた、そのような指紋感知モジュールを備えるスマートカードに関する。
【背景技術】
【０００２】
セキュリティの向上及び／又はユーザの利便性の向上のために、様々な種類のバイオメトリックシステムがますます使用されている。特に、指紋感知システム（Ｆｉｎｇｅｒｐｒｉｎｔ  Ｓｅｎｓｉｎｇ  Ｓｙｓｔｅｍｓ）は、それらの小さいフォームファクタ、高性能、及びユーザの受け入れのおかげで、例えば、民生用電子機器に採用されてきた。
【０００３】
利用可能な様々な指紋感知原理（例えば、容量式、光学式、熱式など）の中で、特にサイズと電力消費が重要な問題である用途では、容量式感知が最も一般的に使用されている。すべての静電容量式指紋センサは、いくつかの感知構造体のそれぞれと、指紋センサの表面上に置かれた、又はその表面を横切って移動した指との間の静電容量を示す尺度を提供する。
【０００４】
さらに、スマートカードへの指紋センサの統合は、市場ニーズが高まっている。ただし、スマートカードの指紋センサの要件は、センサがスマートフォンで使用される場合と比較して変わることがある。例えば、スマートカードのコストはスマートフォンのコストよりもかなり低いので、スマートカード用の指紋センサのコストを下げることがさらに望ましい。
【０００５】
現在利用可能なスマートカードでは、指紋感知モジュールをインレイ上にはんだ付けすることができ、カードには、中心層としてインレイと、カード上層に空洞（ｃａｖｉｔｙ）とが積層（ｌａｍｉｎａｔｅ）され、カード積層の際に指紋感知モジュールを露出したままにさせる。
【０００６】
しかしながら、指紋感知モジュールとカード本体との間の隙間はしばしば目に見えるので、信頼性及び外観上の問題を引き起こしている。さらに、記載された方法は、典型的には限定したシリーズにのみ使用され、大量生産には適さない。
【０００７】
したがって、指紋感知モジュールを備えるスマートカードを提供するための改良された方法、及びスマートカードに統合するための指紋感知モジュールが必要とされている。
【発明の概要】
【発明が解決しようとする課題】
【０００８】
従来技術の上記及び他の欠点を考慮して、本発明の目的は、スマートカードとの統合に適した改良された指紋感知モジュール、及びそのようなモジュールを製造するための方法を提供することである。
【課題を解決するための手段】
【０００９】
本発明の第１の態様によれば、指紋感知モジュールが提供される。指紋感知モジュールは、指紋感知装置の第１の側に配置された感知アレイを有する指紋感知装置を有し、感知アレイは、指紋感知素子のアレイを備える。指紋感知装置は、指紋感知装置を外部回路に接続するための接続パッドもまた備える。指紋感知モジュールは、指紋感知装置を覆うように構成された指紋感知装置のカバー構造体をさらに備え、カバー構造体は、指で触れるように構成され、それによって指紋感知モジュールの感知面を形成する第１の側と、感知アレイに対面する第２の側とを有し、カバー構造体は、指紋感知モジュールを外部回路に電気的に接続するために、カバー構造体の第２の側に配置された導電トレースを備え、カバー構造体の表面積は、指紋感知装置の表面積よりも大きい。指紋感知装置は、指紋感知装置の接続パッドをカバー構造体の導電トレースに電気的に接続するワイヤボンドをさらに備える。
【００１０】
本文脈では、指紋感知装置はダイ、チップ、カプセルなどとも呼ばれ、指紋センサは容量式、光学式又は超音波指紋センサとすることができる。
【００１１】
記載された指紋モジュールでは、感知アレイは、カバー構造体の表面がカバー構造体の感知面を形成するようにカバー構造体に面している。記載されたカバー構造体は、少なくとも絶縁層と導電トレースを含む層とを備える。しかしながら、カバー構造体は、複数の副層を同様に備えてもよい。
【００１２】
本発明は、指紋感知装置を導電トレースを含むカバー層に取り付けるとき、ワイヤボンディングを使用してセンサとカバー層との間に接続を形成することが有利であるという認識に基づいている。これにより、以下でさらに詳細に説明するように、カバー構造体の導電トレースによってスマートカードに容易に一体化される指紋感知モジュールが提供される。
【００１３】
しかしながら、記載されたモジュールはまた、カバー構造体によって、例えばモジュールのサイズと形状を簡単に制御できるモジュールが提供することができるので、幅広い用途に統合するのに適している。
【００１４】
本発明の一実施形態によれば、接続パッドは、第１の側の反対側である指紋感知装置の第２の側に配置されてもよく、指紋感知装置は、指紋感知装置の第１の側から指紋感知装置の第２の側の接続パッドに達するビア接続部を含む基板をさらに備える。これにより、センサ装置とカバー構造体との間のワイヤボンディングが、感知アレイの反対側のセンサ装置の裏側から行われる指紋感知装置が提供される。特に、感知アレイを備える指紋センサの側面上にボンドワイヤを必要としない。したがって、記載された配置は、感知アレイとカバー構造体の外面との間の距離を減少させることができ、したがって感知アレイと感知面上に置かれた指との距離を減少させるという利点を有する。これにより、感知装置の性能を改善する。
【００１５】
指紋感知装置はまた、ボンディングパッドとして使用される接続パッドを提供するためのウェハレベルのファンアウト技術を含んでもよい。
【００１６】
本発明の一実施形態によれば、接続パッドは、指紋感知装置の第１の側に配置され、指紋感知装置は、指紋感知装置の第２の側に取り付けられた第１の側を有するキャリアと、指紋感知装置の接続パッドとキャリアの第１の側との間のワイヤボンドと、第１の側の反対側であるキャリアの第２の側とカバー構造体の導電トレースとの間に配置されたワイヤボンドと、をさらに備える。
【００１７】
したがって、指紋感知装置の接続パッドとキャリアの接続パッドとの間に中間接続がある。キャリアの接続パッドは、カバー構造体の導電トレースに接続するためのボンドパッドとして機能する。用途によっては、たとえボンドワイヤが感知アレイと感知面上に配置された指との間の最小距離を増加させるとしても、感知アレイと同じ側にボンドワイヤを備えるセンサ装置では許容できる。感知アレイとカバー構造体との間の距離は、次に、ボンドワイヤループの高さと、感知アレイとボンドワイヤとを覆うオーバーモールド層の厚さとによって決まる。そのような配置は、例えば、比較的薄いカバー構造体のために、例えば使用され得る。それによって、従来の指紋モジュールは、スマートカード用途に使用されるように容易に適合させることができる。
【００１８】
さらに、指紋感知装置は、ＬＧＡ（ランドグリッドアレイ）、リードフレームベースのＱＦＮパッケージとして、又は当業者に知られている他のパッケージタイプによって提供されてもよい。
【００１９】
本発明の一実施形態によれば、指紋センサは、感知装置とカバー構造体との間に配置されたモールド層をさらに含むことができる。記載されたモールド層は、感知アレイを保護し、感知装置をカバー構造体に取り付けるための平面を提供するのに役立つであろう。
【００２０】
本発明の一実施形態によれば、カバー構造体は、導電トレースを含む少なくとも１つの層と少なくとも１つの絶縁層とを含む積層構造体でもよい。カバー構造体は、望ましい視覚的外観を提供するために、インク層を含む１つ以上のコーティング層を含むことができる。本明細書では、インク層は、所望の視覚的外観を達成するための顔料を含む任意の層として理解されるべきである。カバー構造体は、例えば指が湿気を含んでいる場合に、画像キャプチャを向上させるための層も含むことができる。
【００２１】
本発明の一実施形態によれば、指紋感知モジュールは、カバー構造体の第２の側に配置され、カバー構造体の導電トレースに電気的に接続された１つ又は複数の受動部品をさらに備えることができる。
【００２２】
さらに、受動部品は、キャリアの第１の側に配置され、カバー構造体の導電トレースに電気的に接続されてもよい。それによって、指紋感知モジュールは、必要な受動部品を含む単一のモジュールとして提供することができる。
【００２３】
本発明の一実施形態によれば、指紋感知モジュールは、第１の側の反対側である指紋感知モジュールの第２の側に取り付けられた指紋感知制御装置をさらに備えることができる。指紋感知制御装置は、例えば、感知装置の駆動信号を提供するために必要とされることがあり、又は制御装置は他の機能を備えることがある。制御装置は、ダイ、チップ、カプセルなどとして提供されてもよく、コンパニオンチップと呼ばれることもある。指紋感知制御装置を、ポッサム構成（Ｐｏｓｓｕｍ  ｃｏｎｆｉｇｕｒａｔｉｏｎ）とも呼ばれる積層構造体で提供することによって、全ての必要な機能を備える完全な指紋感知モジュールを提供することができる。これにより、指紋感知モジュールはスマートカードなどの様々な用途に統合される準備が整う。さらに、積層構造体は、例えばフレキシブルフィルムを使用して、センサ装置から離れた位置にある制御装置にセンサ装置が接続される既知の構成と比較して、指紋感知モジュールの設置面積を減少させる。
【００２４】
本発明の一実施形態によれば、指紋感知モジュールは、指紋感知制御装置をカバー構造体の導電トレースに電気的に接続するワイヤボンドをさらに備えてもよい。それにより、指紋感知装置と制御装置の両方を同じ接続技術を使用して同じカバー構造体に接続することができる。さらに、指紋感知モジュールが提供され、そこでは、モジュールを操作するために必要とされるすべての接続が、アクセスを容易にするためにカバー構造体の第２の側に配置される。
【００２５】
本発明の一実施形態によれば、指紋感知モジュールは、指紋感知制御装置と指紋感知モジュールの第２の側との間に配置されたシリコンインターポーザ層をさらに備えてもよい。インターポーザ層は、ワイヤボンディングによってカバー構造体に電気的に接続することができ、例えば、制御装置とセンサ装置との間に電気的接続を形成するために使用することができる。例えば、インターポーザ層は、２つの装置間で信号をルーティングするために使用されてもよい。インターポーザ層はまた、感知モジュールの動作に必要な受動部品を備えてもよい。
【００２６】
さらに、指紋感知モジュールは、指紋感知制御装置と指紋感知モジュールの第２の側との間に配置された機械的支持層を備えてもよい。機械的支持層は、例えば、コンプライアントポリマーベースの材料でもよい。機械的支持層は、感知モジュールの可撓性を高め、モジュールが破損することなくさらに撓むことを可能にする。スマートカードの可撓性のため、これはスマートカードに統合された感知モジュールにとって特に有利である。
【００２７】
本発明の一実施形態によれば、指紋感知モジュールは、感知面に置かれた指と指紋感知モジュールの駆動信号回路との間に電気的接続を提供するために感知アレイに隣接して配置された導電ベゼルをさらに備えてもよい。ベゼルは、例えば、感知面上に置かれた指もベゼルと接触するように、センサ装置を囲むように配置されたフレームでもよい。それによって、駆動信号を指に提供することができ、それは確立された感知技術による容量性指紋測定を容易にする。カバー構造体が複数の導電層を含む積層構造体である場合、積層構造体中の最上金属層はベゼルと電気的接触を形成するために有利に使用されてもよい。しかしながら、感知モジュールはベゼルなしでも同様に動作することができ、その場合、駆動信号は感知アレイの感知素子又は指紋感知装置の基準接地レベルに供給されてもよいことに留意されたい。
【００２８】
本発明の一実施形態によれば、カバー構造体は、指紋感知モジュールがＴ字形の外形を有するように指紋感知装置の外側に延在する。言い換えれば、カバー構造体は、感知装置の少なくとも２つの対向する側面上で感知装置の表面の外側に延在する。正方形又は長方形の感知モジュールの場合、カバー構造体は、センサ装置の四辺すべてにおいてセンサ装置の外側に延在することができる。したがって、少なくとも２つの側面のセンサ装置上においてカバー構造体の下側に接続を提供することが可能であり、それによって指紋センサモジュールを電子装置、スマートカードなどに接続するための様々の可能な方法が増える。さらに、以下でさらに詳細に説明するように、Ｔ字形の外形を有する指紋感知モジュールを対応する凹部又は開口部に容易に配置することができる。
【００２９】
本発明の一実施形態によれば、カバー構造体は、フレックスフィルムなどのように可撓性を有してもよく、それによってスマートカードにおける指紋感知モジュールの統合を容易にし、カード自体の可撓性のために可撓性モジュールを有することが特に望ましい。可撓性のカバー層を介して、指紋モジュールは撓むことができ、例えば、センシング装置自体が可撓性を有することなくスマートカードの曲がりに追従することができる。
【００３０】
しかしながら、カバー構造体は、例えばガラス又はセラミック構造体などと同様に十分に堅いものであってもよく、それは他のタイプの装置に指紋感知モジュールを統合するためにより適している場合があることに留意すべきである。カバー構造体は、例えば、保護プレート、カバーガラス、又は導電トレースを備えるディスプレイガラスでもよい。
【００３１】
本発明の一実施形態によれば、指紋感知モジュールは、セキュアなメモリ及び実行環境を提供するためにスマートカードにおいてしばしば必要とされるセキュアエレメントを有利に備えることができる。セキュアエレメントは、例えば、指紋感知装置と、任意選択で指紋感知制御装置と、を含むスタックに含まれてもよい。しかしながら、セキュアエレメントは、キャリア上又はカバー構造体上などの他の場所に配置することもできる。
【００３２】
本発明の一実施形態によれば、上述の実施形態のいずれか１つによる指紋感知モジュールを備えるスマートカードが提供される。スマートカードは、指紋感知モジュールが配置される凹部を含み、指紋感知モジュールのカバー構造体は、スマートカードの導電インレイの対応する接続パッドに導電トレースを接続するための接続パッドを備える。それによって、指紋感知装置及び任意の関連回路が、カバー層の接続パッドによってスマートカード回路に容易に接続することができるスマートカードが形成される。特に、感知モジュールは、スマートカードの使用に関連して向上したセキュリティを提供するように、認証及び／又はユーザの身元の確認を処理するスマートカードの回路に接続することができる。スマートカードは、例えば、金融取引を承認するため、身元を確認するため、及び／又はアクセスを許可するために使用することができる。スマートカードは、集積回路を内蔵したポケットサイズのカードと考えることができる。
【００３３】
本発明の一実施形態によれば、スマートカードの凹部は、指紋感知モジュールの形状に対応する形状を有利に有することができる。それによって、指紋感知モジュールは、スマートカードの外層と感知モジュールとの間に最小の隙間をあけて、又は隙間を設けずに、凹部に嵌め込むことができる。凹部は、例えばＴ字形であり、対応するＴ字形の指紋感知モジュールを受けるように構成されてもよい。
【００３４】
本発明の第２の態様によれば、指紋感知モジュールを製造する方法が提供される。方法は、指紋感知装置の第１の側に配置された感知アレイを有する指紋感知装置を提供し、感知アレイは、指紋感知素子のアレイを備え、指紋感知装置は、指紋感知装置を外部回路に接続するための接続パッドを備え、指紋感知モジュールを外部回路に電気的に接続するために、指紋感知装置のカバー構造体の第２の側に配置された導電トレースを備える指紋感知装置のカバー構造体を提供し、指紋感知装置をカバー構造体に取り付け、接続パッドと導電トレースとの間のワイヤボンディングによって指紋感知装置を電気的に接続する、ことを有する。
【００３５】
これによって、マイクロエレクトロニクス製造の分野で周知の従来の処理ステップを使用して実行することができる指紋感知モジュールを製造する方法が提供される。したがって、記載されたモジュールは既存のプロセスを使用して製造することができる。
【００３６】
カバー構造体は、ワイヤボンディングを容易にするための接続パッドも備えてもよいことに留意されたい。
【００３７】
本発明の一実施形態によれば、方法は、第１の側の反対側である指紋感知モジュールの第２の側に指紋感知制御装置を取り付けることをさらに含むことができる。それにより、指紋制御回路を感知装置と積層構造体で形成することができ、制御回路機能が感知装置と同じモジュールに統合されている便利なモジュールを提供する。
【００３８】
本発明の一実施形態によれば、方法は、指紋感知モジュールを封入することをさらに含んでもよい。封入（Ｅｎｃａｐｓｕｌａｔｉｎｇ）とは、モジュールの装置を保護し、かつ取り扱いが容易なモジュールを提供するために、モジュールの裏側、すなわち感知面として作用するカバー構造体の側とは反対側をカプセル又はモールド材料を用いて封入することを意味する。カバー構造体の導電トレースの少なくとも一部、特に導電トレースを介してセンサ装置に接続するために使用される接続パッドは、指紋感知モジュールを外部回路に接続することを可能にするため、封入によって覆われない。スマートカード用のセキュアエレメントモジュールの製造では、現在、３５ｍｍ幅のリールツーリールフォーマットでのワイヤボンド及び封入プロセスが一般的である。
【００３９】
本発明の第２の態様のさらなる効果及び特徴は、本発明の第１の態様に関連して上述したものとほぼ類似している。
【００４０】
本発明の第３の態様によれば、上述の実施形態のいずれか１つによる指紋感知モジュールを備えるスマートカードを製造する方法が提供される。方法は、複数の層を含むスマートカード基板を提供し、スマートカードに凹部を形成し、凹部は下部と上部とを含み、上部は下部の面積より大きい面積を有し、凹部の上部とスマートカードの導電トレースとの間にビア接続部を形成し、カバー層の導電トレースがビア接続部と電気的接触を形成するように、凹部に感知モジュールを配置する、ことを有する。
【００４１】
スマートカード基板は、複数の絶縁層の間に挟まれた１つ又は複数の導電層を含む従来の積層スマートカード基板でもよい。上部及び下部は一体に凹部を形成し、Ｔ字形の指紋モジュールを受け入れるためのＴ字形に対応する外形を有利に有する。さらに、指紋感知モジュールをスマートカード回路に電気的に接続するために、モジュールは、カバー構造体の導電トレースとスマートカードの導電インレイとの間に電気的接続を同時に形成するために可撓性導電接着剤を使用してスマートカードに取り付けられてもよい。
【００４２】
今日のほとんどのペイメントカードは、カードの中央に導電インレイがラミネートされている。ミリング（ｍｉｌｌｉｎｇ）及び穴あけ（ｄｒｉｌｌｉｎｇ）と呼ばれるプロセスは通常、スマートカード内にセキュアエレメントを統合するためのキャビティを形成するために使用される。記載された発明の様々な実施形態によれば、そのような「ミル及びドリル」技術は、指紋感知モジュールを受けるための凹部のために使用することができる。それによって、スマートカードのための既存の製造方法を使用して、指紋センサを統合することもでき、それによってスマートカード内の指紋センサ統合のための閾値を下げる。
【００４３】
本発明の第３の態様のさらなる効果及び特徴は、本発明の第１及び第２の態様に関連して上述したものとほぼ類似している。
【００４４】
本発明のさらなる特徴及びそれによる利点は、添付の特許請求の範囲及び以下の説明を検討するときに明らかになる。当業者は、本発明の範囲から逸脱することなく、本発明の様々な特徴を組み合わせて、以下に記載されるもの以外の実施形態を作成し得ることを理解する。
【発明の効果】
【００４５】
本発明の例示的な実施形態を示す添付の図面を参照しながら、本発明のこれら及び他の態様をさらに詳細に説明する。
【図面の簡単な説明】
【００４６】
【図１】本発明の一実施形態によるスマートカードを概略的に示す図。
【図２】本発明の一実施形態による指紋感知モジュールを概略的に示す図。
【図３】本発明の一実施形態による指紋感知モジュールを概略的に示す図。
【図４】本発明の一実施形態による指紋感知モジュールを概略的に示す図。
【図５】本発明の一実施形態による指紋感知モジュールを概略的に示す図。
【図６】本発明の一実施形態による指紋感知モジュールを製造する方法の一般的なステップを概説するフローチャート。
【図７】本発明の一実施形態によるスマートカードを製造する方法を概略的に示す図。
【発明を実施するための形態】
【００４７】
本詳細な説明では、本発明によるモジュール及び方法の様々な実施形態が、容量性指紋センサを備える指紋感知モジュールを参照して主に説明される。さらに、指紋感知モジュールは、スマートカードへの統合に関して説明されている。しかしながら、記載されたモジュールはまた、家庭用電子機器、モノのインターネット（ＩｏＴ）、及び自動車用途などの他の用途での使用にもよく適している可能性がある。
【００４８】
図１は、本発明の一実施形態による指紋感知モジュール２を備えるスマートカード１を概略的に示す。
【００４９】
図２は、指紋感知装置２０の第１の側２２に配置された感知アレイ２１を有する指紋感知装置２０を備える指紋感知モジュール２を概略的に示す。感知アレイ２１は、各感知素子と感知モジュール２の感知面上に置かれた指との間の容量結合を検出するように構成された指紋感知素子のアレイ、ここでは導電板を備える。指紋感知装置２０は、指紋感知装置２０を外部回路（図示せず）に接続するための接続パッド２４をさらに備える。外部回路は、例えばスマートカード内の集積回路とすることができる。
【００５０】
指紋感知モジュール２は、指紋感知装置２１を覆うように構成された指紋感知装置カバー構造体３０をさらに備える。カバー構造体は、指で触れるように構成され、それによって感知モジュール２の感知面３２を形成するように構成された第１の側３２と、感知アレイ２１に面する第２の側３４とを有する。さらに、カバー構造体は、指紋感知モジュール２を外部回路に電気的に接続するために、カバー構造体３０の第２の側３４に配置された導電トレース３５を備える。図２から分かるように、カバー構造体３０の表面積はセンサ装置２０の表面積よりも大きいので、感知モジュール２の導電トレース３５は感知面３２と同じ方向に面する表面で対応する接続パッドに接続することができる。最後に、指紋感知モジュール２は、指紋感知装置２０の接続パッド２４をカバー構造体３０の導電トレース３５に電気的に接続するワイヤボンド４０をさらに備える。ここで、接続パッド２４は、センサ基板５０を貫通するビア接続部５２によって、感知アレイ２１と、関連する感知及び読み出し回路とに電気的に接続されたセンサ装置２０の第２の側２３に配置されている。
【００５１】
図示の実施形態では、従来の指紋感知装置を使用することができ、既存の裏面接続を使用してカバー構造体の導電トレース３５にワイヤボンディングすることができる。さらに、図２に示す感知モジュール２では、感知アレイ２１は感知モジュールの外面３２、すなわち感知面に非常に接近しており、これが今度は感知面上に置かれた指と感知アレイ２１の感知素子との間の良好な容量結合をもたらす。スマートカードでは、カバー構造体３０を薄くすることができるが、ガラスの下の用途、例えば、指紋センサがディスプレイガラスの下に配置されるとき、ガラスの厚さは少なくとも３００μｍであることが好ましい。それとは対照的に、現在のＩＳＯ規格によれば、スマートカードの全厚は７６０μｍであるべきである。
【００５２】
図３は、本発明の一実施形態による指紋感知モジュール２を概略的に示している。図２を参照して上述した構成要素に加えて、図３の指紋感知モジュール２は、カバー構造体３０の第２の側３４に配置され、カバー構造体３０の導電トレース３５に電気的に接続された受動部品７０をさらに備える。１つ又は複数の受動部品７０は、個々の部品として、カプセルとして、又は一体型受動装置（Ｉｎｔｅｇｒａｔｅｄ  Ｐａｓｓｉｖｅ  Ｄｅｖｉｃｅｓ）としてカバー構造体３０上に直接配置することができる。
【００５３】
さらに、図３は、指紋感知装置２０の第２の側２３に取り付けられた指紋感知制御装置８０も示しており、第２の側２３は第１の側２２の反対側にある。指紋感知制御装置８０は、ボンドワイヤ８２によってカバー構造体３０の導電トレース３５に接続されている。本明細書には示されていない追加の選択肢は、受動部品を制御装置の裏側に配置し、ワイヤボンディングによってカバー構造体３０の導電トレース３５まで受動部品を外部回路に接続することである。
【００５４】
図４は、指紋感知装置２０の接続パッド２４が指紋感知装置２０の第１の側２２に配置されている、本発明の一実施形態による指紋感知モジュール２を概略的に示している。図示の実施形態では、指紋感知装置２０は、指紋感知装置２０の第２の側２３に取り付けられた第１の側６１を有するキャリア６０上に配置されている。キャリア６０は、例えばフレキシブル基板又はＰＣＢとすることができる。指紋感知装置２０は、ワイヤボンド６４を介して指紋感知装置２０の接続パッド２４からキャリア６０の第１の側に接続されている。次に、電気接続部６５がキャリア６０を貫通して形成され、さらにキャリア６０の第１の側６１とは反対側の第２の側と導電トレース３５との間に接続されたワイヤボンド６６によってカバー構造体３０の導電トレース３５に電気接続が形成される。
【００５５】
図５の指紋感知モジュールは、図４に示すモジュールと大体類似している。相違点は、追加の層８４がキャリア６０と指紋制御装置８０との間に配置されていることである。一実施形態では、層８４は、２つの装置２０、８０間で信号を経路指定するために使用することができるシリコンインターポーザ層８４であり、それも集積受動部品を備えることができる。インターポーザ層８４は、インターポーザをカバー構造体３０に接続するワイヤボンド８５を備えるように示されている。別の実施形態では、層８４はモジュールの装置を保護する機械的支持層であってもよく、その場合ワイヤボンディングの必要はない。指紋感知装置２０及び指紋感知制御装置８０の回路は、シリコンが十分に薄い層において柔軟であり得るとしても、一般的に剛性の材料であるシリコンで通常作られる。しかしながら、機械的支持層によって、シリコンデバイスは破損することなくさらなる可撓性を達成することができる。
【００５６】
図６は、本発明の一実施形態による指紋感知モジュールを製造する方法の一般的なステップを概説するフローチャートである。方法は、指紋感知モジュール２の一実施形態を示す図２を参照しながら説明される。方法は、指紋感知装置２０を提供するステップ１０２と、指紋感知モジュール２を外部回路に電気的に接続するための導電トレースを備える指紋感知装置カバー構造体３０を提供するステップ１０４とを含む。次に、指紋感知装置２０の接続パッド２４とカバー構造体３０の導電トレース３５との間にワイヤボンディングするステップ１０８によって、指紋感知装置２０をカバー構造体３０に取り付け、指紋感知装置２０を電気的に接続する。最後のステップ１１０では、ボンドワイヤ及び装置を保護するために、ワイヤボンド８２、８５を備えるモジュール２の側面を封止する。
【００５７】
図７ａ−ｇは、本明細書に記載の実施形態のいずれかによる指紋感知モジュールを備えるスマートカードを製造する方法を概略的に示す図である。
【００５８】
図７ａは、複数の層を含む積層スマートカード基板９０を示す。スマートカードを形成することは、凹部９１を形成するためにスマートカード基板９０の最上層をミリング及び穴あけすることを含む。凹部９１は、上部９２と下部９３とを含み、上部９２は下部９３の面積よりも大きい面積を有し、それによってＴ字形の凹部が形成される。
【００５９】
図７ｃは、凹部の上部９２からスマートカード基板の導電層９５まで穿孔された開口部９４を示す。スマートカードは実際には複数の層を含むことができる。しかしながら、簡単にするために、１つの導電層だけが示されている。スマートカードの導電層は、指紋感知モジュール２をスマートカードの集積回路に接続するための導電トレースを含む。
【００６０】
図７ｄでは、導電材料が開口部９４内に配置されて、導電層９５への導電ビア接続部９６を形成する。
【００６１】
図７ｅは、凹部９１のＴ字形に対応するＴ字形を有する感知モジュール２を提供することを示し、図７ｆでは、感知モジュールは凹部内に配置される。特に、カバー構造体３０の導電トレース３５は、それらがスマートカードのビア接続部９６と電気的接続を形成するように配置されている。指紋感知モジュール２は、ビア接続部９６の位置で導電接着剤９７を使用してスマートカード基板９０に有利に取り付けられる。
【００６２】
図７ｇに示す最終ステップでは、接着剤９７を加熱ツール９８を用いて加熱して接着剤を硬化させる。導電接着剤を使用する代わりに、低温はんだ材料を使用することも可能であり、その場合、はんだ付け温度はスマートカード基板の溶融を防ぐのに十分に低い。
【００６３】
本明細書に示す指紋感知モジュールの様々な実施形態は、１つの制御装置、１つの受動部品などを備える。しかしながら、当業者は、記載されたモジュールが、記載された様々な装置及び構成要素のうちの２つ以上を同様に十分に備えてもよいことを容易に理解する。
【００６４】
さらに、本発明をその特定の例示的な実施形態を参照して説明してきたが、多くの異なる変更、修正などが当業者には明らかになるであろう。また、モジュール、スマートカード、及び方法の一部を省略し、交換し、又は様々な方法で配置することができ、モジュール、スマートカード及び方法は本発明の機能を実行することができる。
【００６５】
さらに、開示された実施形態に対する変形は、図面、開示、及び添付の特許請求の範囲の検討から、請求された発明を実施する際に当業者によって理解され達成され得る。請求項において、単語「備える、含む、有する（ｃｏｍｐｒｉｓｉｎｇ）」は他の要素又はステップを排除するものではなく、不定冠詞「ａ」又は「ａｎ」は複数を排除するものではない。特定の手段が互いに異なる従属請求項に記載されているという単なる事実は、これらの手段の組み合わせが有利に使用されることができないことを示すものではない。
【図１】
2020503606.tif 000003
【図２】
2020503606.tif 000004
【図３】
2020503606.tif 000005
【図４】
2020503606.tif 000006
【図５】
2020503606.tif 000007
【図６】
2020503606.tif 000008
【図７ａ】
2020503606.tif 000009
【図７ｂ】
2020503606.tif 000010
【図７ｃ】
2020503606.tif 000011
【図７ｄ】
2020503606.tif 000012
【図７ｅ】
2020503606.tif 000013
【図７ｆ】
2020503606.tif 000014
【図７ｇ】
2020503606.tif 000015
【国際調査報告】
2020503606.tif 000016
2020503606.tif 000017
2020503606.tif 000018
2020503606.tif 000019